(57)【特許請求の範囲】
【請求項１】
浴槽への給湯動作および風呂追い焚き動作の少なくとも一方を行なう指示、ならびに、前記浴槽が設置される浴室を暖房する指示を受け付ける受付手段と、
暖房用放熱器と、
前記暖房用放熱器を加熱する加熱手段と、
前記暖房用放熱器で加熱された空気を前記浴室に吹出させるファンと、
前記浴室の温度を検出する温度検出手段と、
前記加熱手段および前記ファンの動作を制御するための制御手段とを備え、
前記制御手段は、
前記受付手段が前記浴室を暖房する指示を受け付けた場合に、前記加熱手段に前記暖房用放熱器の加熱動作を実行させ、かつ、前記ファンを動作させ、
前記受付手段が前記浴槽への給湯動作および風呂追い焚き動作の少なくとも一方を行なう指示を受け付けた場合に、前記温度検出手段によって検出された温度が所定の温度未満であるとき、前記ファンを動作させることなく前記加熱手段に前記暖房用放熱器の加熱動作を実行させる、浴室暖房システム。
【請求項２】
前記制御手段は、前記ファンを動作させることなく前記加熱手段に前記暖房用放熱器の加熱動作を実行させるときは、前記ファンを動作させながら前記加熱手段に前記暖房用放熱器の加熱動作を実行させるときよりも、単位時間当たりに前記暖房用放熱器に供給する熱量を高くする、請求項１に記載の浴室暖房システム。
【請求項３】
前記受付手段は、浴槽への給湯動作および風呂追い焚き動作の少なくとも一方を行なう指示のための操作を受け付けることによって当該指示を受け付ける、請求項１または請求項２に記載の浴室暖房システム。
【請求項４】
前記制御手段は、前記受付手段が前記浴槽への給湯動作および風呂追い焚き動作の少なくとも一方を行なう指示を受け付けた場合に、前記浴室の暖房を指示する操作を促す報知を行なう、請求項１〜請求項３のいずれか１項に記載の浴室暖房システム。
【請求項５】
前記制御手段は、前記受付手段が前記浴槽への給湯動作および風呂追い焚き動作の少なくとも一方を行なう指示を受け付けた場合に、さらに、前記温度検出手段によって検出された温度が所定の温度未満である場合に、前記浴室の暖房を指示する操作を促す報知を行なう、請求項４に記載の浴室暖房システム。
【請求項６】
前記制御手段は、前記報知を実行した場合であって、前記操作手段に対して前記浴室の暖房を指示する操作がなされなかったときに、前記ファンを動作させることなく前記加熱手段に前記暖房用放熱器の加熱動作を実行させる、請求項４または請求項５に記載の浴室暖房システム。
【請求項７】
前記浴槽への給湯動作および風呂追い焚き動作の少なくとも一方を行なう指示は、当該指示が給湯動作を行なう指示である場合には給湯温度の指定を含み、当該指示が風呂追い焚き動作を行なう指示である場合には沸き上げ温度の指定を含み、
前記制御手段は、前記受付手段が前記浴槽への給湯動作および風呂追い焚き動作の少なくとも一方を行なう指示を受け付けた場合に、前記温度検出手段によって検出された温度が所定の温度未満であるとき、さらに、前記給湯温度または前記沸き上げ温度が一定の温度以上であることを条件として、前記ファンを動作させることなく前記加熱手段に前記暖房用放熱器の加熱動作を実行させる、請求項１〜請求項６のいずれか１項に記載の浴室暖房システム。
【請求項８】
前記制御手段は、
前記受付手段が前記浴槽への給湯動作および風呂追い焚き動作の少なくとも一方を行なう指示を受け付けた場合に、前記温度検出手段によって検出された温度が所定の温度未満であるとき、前記ファンを動作させることなく前記加熱手段に前記暖房用放熱器の加熱動作を実行させることを促す情報を報知し、当該情報の報知に応じて前記受付手段が動作の実行を指示する情報を受け付けたことを条件として、前記ファンを動作させることなく前記加熱手段に前記暖房用放熱器の加熱動作を実行させる、請求項１〜請求項７のいずれか１項に記載の浴室暖房システム。
【発明の詳細な説明】
【技術分野】
【０００１】
この発明は、浴室暖房システムに関し、より特定的には、暖房用放熱器で加熱された空気をファンによって浴室に吹出させる浴室暖房システムに関する。
【背景技術】
【０００２】
従来、浴室での死亡事故が少なからず発生している。浴室での死亡事故は、特に冬場に多く発生し、また、高齢者が死亡する割合が多い（９割以上）。浴室での死亡事故に至る原因としては、たとえば、いわゆるヒートショックが挙げられる。ヒートショックによる死亡事故の一例では、人が、温かい居室から寒い脱衣場や浴室を経由して比較的高温の湯に浸かったときに、血管が収縮後に膨張することによって血圧が低下し、浴槽内で意識が喪失し、これにより溺死する。
【０００３】
このようなヒートショックを考慮して、近年の浴室暖房システムの中には、入浴前に予備的に浴室の暖房を実行するものがある。特許文献１（特開２００１−１５３３８３号公報）には、浴槽に自動的に湯張りを行なうための操作に連動して浴室の予備暖房（湯張り完了前の暖房）を実行するように、暖房装置を制御する浴室暖房装置が開示されている。
【先行技術文献】
【特許文献】
【０００４】
【特許文献１】特開２００１−１５３３８３号公報
【発明の概要】
【発明が解決しようとする課題】
【０００５】
しかしながら、ユーザは、ヒートショックによる事故を経験するまでは、ヒートショックによる影響よりも省エネルギに高い関心を持つものである。このことから、ユーザは、浴室暖房システムを、上記したような予備的な暖房を実行させないように制御する傾向がある。浴室暖房システムは、その予備暖房の機能が利用されなければ、ヒートショックによる影響を十分に抑えることができない。
【０００６】
本開示は、上述のような問題点を解決するためになされたものであって、その目的は、省エネルギを担保しつつヒートショックによる事故の低減を図ることである。
【課題を解決するための手段】
【０００７】
本開示のある局面に従うと、浴槽への給湯動作および風呂追い焚き動作の少なくとも一方を行なう指示、ならびに、浴槽が設置される浴室を暖房する指示を受け付ける受付手段と、暖房用放熱器と、暖房用放熱器を加熱する加熱手段と、暖房用放熱器で加熱された空気を浴室に吹出させるファンと、浴室の温度を検出する温度検出手段と、加熱手段およびファンの動作を制御するための制御手段とを備え、制御手段は、受付手段が浴室を暖房する指示を受け付けた場合に、加熱手段に暖房用放熱器の加熱動作を実行させ、かつ、ファンを動作させ、受付手段が浴槽への給湯動作および風呂追い焚き動作の少なくとも一方を行なう指示を受け付けた場合に、温度検出手段によって検出された温度が所定の温度未満であるとき、ファンを動作させることなく加熱手段に暖房用放熱器の加熱動作を実行させる、浴室暖房システムが提供される。
【０００８】
好ましくは、制御手段は、ファンを動作させることなく加熱手段に暖房用放熱器の加熱動作を実行させるときは、ファンを動作させながら加熱手段に暖房用放熱器の加熱動作を実行させるときよりも、単位時間当たりに暖房用放熱器に供給する熱量を高くする。
【０００９】
好ましくは、受付手段は、浴槽への給湯動作および風呂追い焚き動作の少なくとも一方を行なう指示のための操作を受け付けることによって当該指示を受け付ける。
【００１０】
好ましくは、制御手段は、受付手段が浴槽への給湯動作および風呂追い焚き動作の少なくとも一方を行なう指示を受け付けた場合に、浴室の暖房を指示する操作を促す報知を行なう。
【００１１】
好ましくは、制御手段は、受付手段が浴槽への給湯動作および風呂追い焚き動作の少なくとも一方を行なう指示を受け付けた場合に、さらに、温度検出手段によって検出された温度が所定の温度未満である場合に、浴室の暖房を指示する操作を促す報知を行なう。
【００１２】
好ましくは、制御手段は、報知を実行した場合であって、操作手段に対して浴室の暖房を指示する操作がなされなかったときに、ファンを動作させることなく加熱手段に暖房用放熱器の加熱動作を実行させる。
【００１３】
好ましくは、浴槽への給湯動作および風呂追い焚き動作の少なくとも一方を行なう指示は、当該指示が給湯動作を行なう指示である場合には給湯温度の指定を含み、当該指示が風呂追い焚き動作を行なう指示である場合には沸き上げ温度の指定を含み、制御手段は、受付手段が浴槽への給湯動作および風呂追い焚き動作の少なくとも一方を行なう指示を受け付けた場合に、温度検出手段によって検出された温度が所定の温度未満であるとき、さらに、給湯温度または沸き上げ温度が一定の温度以上であることを条件として、ファンを動作させることなく加熱手段に暖房用放熱器の加熱動作を実行させる。
【００１４】
好ましくは、制御手段は、受付手段が浴槽への給湯動作および風呂追い焚き動作の少なくとも一方を行なう指示を受け付けた場合に、温度検出手段によって検出された温度が所定の温度未満であるとき、ファンを動作させることなく加熱手段に暖房用放熱器の加熱動作を実行させることを促す情報を報知し、当該情報の報知に応じて受付手段が動作の実行を指示する情報を受け付けたことを条件として、ファンを動作させることなく加熱手段に暖房用放熱器の加熱動作を実行させる。
【発明の効果】
【００１５】
本開示によれば、浴槽への給湯動作および風呂追い焚き動作の少なくとも一方を行なう指示が受け付けられると、浴室の温度が所定の温度以下であるときには、ファンは動作しないが、暖房用放熱器が加熱される。ファンが動作しないため、浴室暖房システムのエネルギ消費量が抑えられる。さらに、ファンが動作しないことにより、ユーザは、暖房用放熱器においてエネルギ消費量が抑えられていることを認識できる。さらに、ファンの動作開始時には、事前に暖房用放熱器が加熱されているため、ファンの回転初期から温風を吹き出すことが可能となる。
【図面の簡単な説明】
【００１６】
【図１】本開示の第１の実施の形態の浴室暖房システムが適用される浴室内の状況を示す図である。
【図２】浴室暖房機の内部の構成を部分的に示す図である。
【図３】浴室暖房システムの概略的な構成を示す図である。
【図４】浴室リモコンの外観の一例を示す図である。
【図５】浴室暖房コントローラの外観の一例を示す図である。
【図６】給湯機のシステムコントローラのハードウェア構成の一例を示す図である。
【図７】ふろ自動スイッチが操作されたことによって、注湯機能の開始を指示されたときに、実行される処理のフローチャートである。
【図８】浴室リモコンにおける表示の一例を示す図である。
【図９】浴室暖房コントローラにおける表示の一例を示す図である。
【図１０】図７の処理の第１の変形例のフローチャートである。
【図１１】図７の処理の第２の変形例のフローチャートである。
【図１２】浴室暖房コントローラにおける表示の他の例を示す図である。
【発明を実施するための形態】
【００１７】
本開示の浴室暖房システムの発明の実施の形態について図面を参照して詳細に説明する。なお、以下では、図中の同一または相当部分には同一符号を付して、その説明は原則的に繰返さないものとする。
【００１８】
［第１の実施の形態］
（１．浴室暖房システムの動作の概要）
図１は、本開示の第１の実施の形態の浴室暖房システムが適用される浴室内の状況を示す図である。図１に示されるように、浴室３と脱衣場１とは、開閉扉２を介して接続されている。浴室３には、床面３１に浴槽４が設置され、浴槽４より僅かに上側位置の壁面３２に浴室リモコン５が設置され、天井寄り位置の壁面３３に浴室暖房機として浴室換気乾燥暖房機６が設置されている。なお、以下、浴室換気乾燥暖房機６は「浴室暖房機６」と省略して記述される。
【００１９】
図２は、浴室暖房機６の内部の構成を部分的に示す図である。図２に示されるように、浴室暖房機６は、吹き出し口６３と、熱動弁６０１と、放熱器６０２と、ファン６０３とを含む。浴室暖房機６では、放熱器６０２に熱媒が供給される。熱動弁６０１は、熱媒の流路（後述する図３の「循環配管７２」）と放熱器６０２との接続部分を開閉する。浴室暖房機６は、上記流路内で熱媒を循環するためのポンプ（後述する図６のポンプ６００）をさらに含む。ファン６０３は、回転することにより、放熱器６０２によって加熱された空気（放熱器６０２周辺の空気）を、吹き出し口６３を介して排出する。これにより、浴室３（図１）に暖気が送られる。
【００２０】
浴室暖房システムは、「浴室暖房動作」として、放熱器６０２に熱媒を供給し、さらに、ファン６０３を回転動作させる。また、浴室暖房システムは、浴槽４に注湯し、また、風呂追い焚き動作を実行する。本明細書において、「注湯」は、浴槽４への給湯を意味し、カラン（図示略）への給湯と区別して記述される。
【００２１】
浴室暖房システムは、「注湯」または「風呂追い炊き動作」を指示された場合に、浴室３の温度を検出する。そして、浴室３の温度が所定の温度以下であるときには、上記「浴室暖房動作」の指示がなくとも、「補助暖房動作」を実行する。「補助暖房動作」では、放熱器６０２に熱媒が供給されるが、ファン６０３は動作しない。
【００２２】
（２．浴室暖房システムの概略的な構成）
図３は、浴室暖房システムの概略的な構成を示す図である。図３に示されるように、浴槽４および浴室暖房機６は、浴室３外に設置された給湯機７と、それぞれ一対で１組の循環配管７１，７２を介して接続されている。給湯機７は、屋外又は屋内に設置されている。
【００２３】
浴槽４には、循環配管７１を通して、給湯機７から湯張りのための注湯が行なわれる。また、浴槽４と給湯機７との間で、追い焚きのために、浴湯が循環され、そして、加熱される。
【００２４】
浴室暖房機６には、給湯機７から、循環配管７２を通して、所定温度（例えば８０℃）の熱媒が供給される。放熱器６０２（図２参照）は、浴室暖房器６内の循環配管７２上に設けられている。熱媒が、給湯機７において加熱され、循環配管７２内で循環されることにより、放熱器６０２が加熱される。
【００２５】
給湯機７は、給湯機能と、浴室暖房機能と、風呂追焚機能と、注湯機能とを有する。各機能について、簡単に説明する。
【００２６】
給湯機能は、外部から導入された水道水等の水を、給湯機７内の熱交換器によって加熱する。より具体的には、給湯機７は、バーナを備える。導入された水は、熱交換器を通過する間にバーナの燃焼熱によって所定の給湯設定温度まで加熱されて、出力される。加熱された水は、たとえばカランに給湯される。
【００２７】
注湯機能は、浴槽４に湯を張る。注湯機能は、外部から導入された水道水等の水を、給湯機能と同様に熱交換器によって加熱した後、注湯弁の開閉切換制御により循環配管７１を通して浴槽４へ供給する。
【００２８】
浴室暖房機能は、浴室暖房機６の放熱器６０２で放熱により低温になった熱媒を、循環配管７２を通して給湯機７に戻し、給湯機７内の熱交換器を通過する間にバーナの燃焼熱によって加熱して、放熱器６０２に戻す。さらに、浴室暖房機能は、ファン６０３を回転させる。これにより、放熱器６０２周辺の加熱された空気が、温風として、吹き出し口６３を介して浴室３へ供給される。浴室暖房システムには、熱媒を循環配管７２内で循環させるためのポンプ（後述する図６のポンプ６００）が設けられる。なお、浴室暖房機能は、ファン６０３を動作させることなく、放熱器６０２に対する加熱された熱媒の供給のみを実行する場合もある。
【００２９】
風呂追焚機能は、循環配管７１を介して、浴槽４内の湯を、浴槽４と給湯機７との間で循環させる。浴槽４内の湯は、給湯機７内の「液−液熱交換器」で加熱されて、浴槽４へと戻される。
【００３０】
浴室暖房システムは、ユーザからの操作を受け付けるための、浴室暖房コントローラ８、浴室リモコン５、および、台所リモコン７４を備える。浴室暖房コントローラ８は、浴室暖房機能についての指示の入力を受け付け、また、当該機能についての種々の情報を表示する。浴室リモコン５および台所リモコン７４は、いずれも、給湯機能、風呂追焚機能、および、注湯機能について、指示の入力を受け付け、また、これらの機能についての情報を含む種々の情報を表示する。
【００３１】
給湯機７は、給湯機能、浴室暖房機能、風呂追焚機能、および、注湯機能における浴室暖房システムの動作を制御するためのシステムコントローラ７００を備える。システムコントローラ７００は、浴室暖房コントローラ８、浴室リモコン５、および、台所リモコン７４と通信可能に構成されている。これらの機器の間の通信のそれぞれは、公知のいかなる規格に従ったものであってもよく、また、有線であっても無線であっても良い。
【００３２】
また、浴室暖房コントローラ８、浴室リモコン５、および、台所リモコン７４のうち少なくとも１つがシステムコントローラ７００と一体的に構成されても良い。また、浴室暖房コントローラ８と浴室リモコン５とが一体的に構成されても良い。
【００３３】
（３．浴室リモコンの外観）
図４は、浴室リモコン５の外観の一例を示す図である。浴室リモコン５は、浴槽４に入浴した状態で操作できるように、浴槽４の上端縁から僅かな距離Ｕ（例えばＵ＝１０〜２０ｃｍ程度）だけ上方位置に設置されている。
【００３４】
浴室リモコン５は、ＬＣＤ（液晶ディスプレイ）により形成された表示部５１と、複数のスイッチと、音声通話部５３と、浴室温度センサ５４と、音声回路５５とを含む。複数のスイッチは、運転スイッチ、呼出スイッチ、追いだきスイッチ５２Ａ、およびふろ自動スイッチ５２Ｂを含む。運転スイッチは、浴室リモコン５における指示の受付のオン／オフを切り替える。呼出スイッチは、台所リモコン７４に呼出音を出力させる。追いだきスイッチ５２Ａは、給湯機７に、上述の風呂追焚機能を実行させる。ふろ自動スイッチ５２Ｂは、給湯機７に、上述の注湯機能を実行させる。
【００３５】
浴室温度センサ５４は、たとえば、浴槽４の僅かに上方位置であって、入浴者が立ち上がった状態ではその入浴者の大腿部辺りの高さ位置における、浴室３内の温度を検出して、システムコントローラ７００に出力する。浴室リモコン５の下側には、開閉蓋が設けられている。浴室温度センサ５４は、例えば、開閉蓋に貫通形成された開口を介して、浴室３内の温度を検出する。なお、浴室暖房器６内に温度センサが設けられている場合、当該浴室暖房器６内の温度センサが「浴室温度センサ５４」として利用されてもよい。
【００３６】
台所リモコン７４は、浴室リモコンと同様の構成を有し得る。ただし、台所リモコン７４は、呼出スイッチを備えていなくても良い。
【００３７】
（４．浴室暖房コントローラの外観）
図５は、浴室暖房コントローラ８の外観の一例を示す図である。
【００３８】
図５に示されるように、浴室暖房コントローラ８は、ＬＣＤ８１と、複数のスイッチとを含む。複数のスイッチは、乾燥スイッチ、涼風スイッチ、浴室暖房スイッチ（図５中の浴室暖房スイッチ８２）、および、換気スイッチを含む。
【００３９】
乾燥スイッチは、浴室暖房システムに、ファン６０２等を用いて浴室３へ乾燥した空気を供給させる。涼風スイッチは、浴室暖房システムに、ファン６０２等を用いて浴室３へ涼風を供給させる。浴室暖房スイッチ８２は、浴室暖房システムに、上記の浴室暖房機能を実行させる。換気スイッチは、浴室暖房システムに、ファン６０２等を用いて浴室３を換気させる。浴室暖房コントローラ８は、さらに、浴室暖房システムに、乾燥スイッチ、涼風スイッチ、浴室暖房スイッチ、または換気スイッチによって開始された動作を停止させるための停止スイッチ８３を含む。
【００４０】
（５．システムコントローラの構成）
図６は、給湯機７のシステムコントローラ７００のハードウェア構成の一例を示す図である。図６に示されるように、システムコントローラ７００は、ＣＰＵ（Central  Processing  Unit）７０１と、メモリ部７０２と、タイマ７０３と、入力装置７０４と、出力装置７０５と、インタフェース７０６とを含む。
【００４１】
ＣＰＵ７０１は、メモリ部７０２に格納されたプログラムを実行することにより、浴室暖房システム（給湯機７）の動作を制御する。ＣＰＵ７０１は、浴室暖房システムの制御において、タイマ７０３が計時する時刻を利用しても良い。
【００４２】
入力装置７０４は、たとえばスイッチであり、システムコントローラ７００への情報の入力を受け付ける。入力装置７０４は、入力された情報をＣＰＵ７０１へ出力する。
【００４３】
出力装置７０５の一例は、モニタである。出力装置７０５の他の例は、音声出力回路である。
【００４４】
ＣＰＵ７０１は、インタフェース７０６を介して、浴室暖房システム内の他の機器と通信する。具体的には、ＣＰＵ７０１は、インタフェース７０６を介して、台所リモコン７４、浴室リモコン５、および浴室暖房コントローラ８から情報を入力される。また、ＣＰＵ７０１は、インタフェース７０６を介して、浴室温度センサ５４の検出温度を入力される。
【００４５】
図６では、浴室暖房システムのうち、給湯機能を実現する部分が、給湯回路１０１として示されている。また、浴室暖房システムのうち、浴室暖房機能、風呂追焚機能、および、注湯機能のそれぞれを実現する部分が、浴室暖房回路１０２、風呂追焚回路１０３、および、注湯回路１０４と記載されている。特に、浴室暖房回路１０２は、図２を参照して説明された熱動弁６０１およびファン６０３に加えて、循環配管７２内で熱媒を循環させるためのポンプ６００と、熱媒を加熱するために上記したバーナ等の動作を制御する加熱制御部７１０とを含む。ＣＰＵ７０１は、インタフェース７０６を介して、給湯回路１０１、浴室暖房回路１０２、風呂追焚回路１０３、および、注湯回路１０４の動作を制御する。
【００４６】
（６．処理の流れ）
ＣＰＵ７０１は、注湯機能または風呂追焚機能の開始を指示されたとき、一定条件が満たされれば、上記補助暖房動作（放熱器６０２に熱媒が供給されるが、ファン６０３は動作しない。）を実行する。
【００４７】
図７は、ふろ自動スイッチ５２Ｂ（図４参照）が操作されたことによって、注湯機能の開始を指示されたときに、ＣＰＵ７０１が実行する処理のフローチャートである。
【００４８】
図７に示されるように、ステップＳ１０で、ＣＰＵ７０１は、浴室温度センサ５４の計測温度ｔｈが所定の温度（Ａ℃）未満であるか否かを判断する。所定の温度（Ａ℃）は、たとえば５℃である。そして、ＣＰＵ７０１は、計測温度ｔｈがＡ℃未満であると判断すると（ステップＳ１０でＹＥＳ）、ステップＳ２０へ制御を進め、また、計測温度ｔｈがＡ℃以上であると判断すると（ステップＳ１０でＮＯ）、ステップＳ７０へ制御を進める。
【００４９】
ステップＳ７０で、ＣＰＵ７０１は、浴室暖房機能の開始の指示があったかどうかを判断する。なお、浴室暖房システムでは、浴室暖房スイッチ８２（図５参照）が操作されることにより、浴室暖房機能の開始が指示される。そして、ＣＰＵ７０１は、浴室暖房機能の開始が指示されたと判断すると（ステップＳ７０でＹＥＳ）、ステップＳ８０へ制御を進める。一方、ＣＰＵ７０１は、浴室暖房機能の開始が指示されなかったと判断すると（ステップＳ７０でＮＯ）、図７の処理を終了させる。なお、ＣＰＵ７０１は、ステップＳ７０で、注湯機能の開始の指示を受け付けてから、５分間等の「特定の時間内に」浴室暖房機能の開始が指示されたか否かを判断してもよい。つまり、ＣＰＵ７０１は、当該特定の時間内に浴室暖房機能の開始が指示されなければ、図７の処理を終了させてもよい。
【００５０】
一方、ステップＳ２０で、ＣＰＵ７０１は、リモコンに、浴室暖房機能の開始を促すための警告音および／または警告表示を行なう。ＣＰＵ７０１は、警告音として、たとえば「浴室が冷えています。浴室暖房をオンにしてください。」というアナウンスを出力する。また、ＣＰＵ７０１は、警告表示として、たとえば浴室リモコン５において、図８に示されるように、「浴室が冷えています。浴室暖房をオンにしてください。」というメッセージを表示する。ＣＰＵ７０１は、浴室暖房コントローラ８に当該メッセージを表示しても良い。そして、制御はステップＳ３０へ進められる。
【００５１】
ステップＳ３０で、ＣＰＵ７０１は、浴室暖房機能の開始の指示があったかどうかを判断する。そして、ＣＰＵ７０１は、浴室暖房機能の開始が指示されたと判断すると（ステップＳ３０でＹＥＳ）、ステップＳ８０へ制御を進める。一方、ＣＰＵ７０１は、浴室暖房機能の開始が指示されなかったと判断すると（ステップＳ３０でＮＯ）、ステップＳ４０へ制御を進める。なお、ＣＰＵ７０１は、ステップＳ３０で、注湯機能の開始の指示を受け付けてから、または、ステップＳ２０の報知を実行してから、１分間等の「一定時間内に」浴室暖房機能の開始が指示されたか否かを判断してもよい。つまり、ＣＰＵ７０１は、当該一定時間内に浴室暖房機能の開始が指示されなければ、ステップＳ４０へ制御を進めてもよい。
【００５２】
ステップＳ４０で、ＣＰＵ７０１は、給湯機７のバーナによる、循環配管７２内の熱媒の加熱を開始する。そして、制御はステップＳ５０へ進められる。
【００５３】
ステップＳ５０で、ＣＰＵ７０１は、熱動弁６０１を開く。そして、制御はステップＳ６０へ進められる。
【００５４】
ステップＳ６０で、ＣＰＵ７０１は、ポンプ６００（循環配管７２内の熱媒を循環させるためのポンプ。図６参照。）を間欠運転させる。
【００５５】
ステップＳ４０〜ステップＳ６０の制御は、上記された「補助暖房動作」に対応する。
一方、ステップＳ８０で、ＣＰＵ７０１は、給湯機７のバーナによる、循環配管７２内の熱媒の加熱を開始する。そして、制御はステップＳ９０へ進められる。
【００５６】
ステップＳ９０で、ＣＰＵ７０１は、熱動弁６０１を開く。そして、制御はステップＳ１００へ進められる。
【００５７】
ステップＳ１００で、ＣＰＵ７０１は、ポンプ６００（循環配管７２内の熱媒を循環させるためのポンプ。図６参照。）を連続運転させる。そして、制御はステップＳ１１０へ進められる。
【００５８】
ステップＳ１１０で、ＣＰＵ７０１は、ファン６０３（図２参照）を回転させる。
ステップＳ８０〜ステップＳ１１０の制御は、上記された「浴室暖房動作」に対応する。
【００５９】
（７．第１の実施の形態のまとめ）
以上説明された第１の実施の形態では、ＣＰＵ７０１は、注湯機能の開始を指示されると、図７の処理を実行する。なお、ＣＰＵ７０１は、風呂追焚機能の開始を指示されたときも、同様に、図７の処理を実行する。注湯機能の開始は、たとえばふろ自動スイッチ５２Ｂを操作されることによって指示される。風呂追焚機能の開始は、たとえば追いだきスイッチ５２Ａ（図４参照）が操作されることによって、指示される。
【００６０】
ＣＰＵ７０１は、図６に示されたように、浴室リモコン５または台所リモコン７４（図２参照）から、インタフェース７０６を介して、注湯機能または風呂追焚機能の開始の指示を受け付ける。なお、システムコントローラ７００の入力装置７０４が、これらの指示を受け付けてもよい。つまり、浴室リモコン５および／または台所リモコン７４は、システムコントローラ７００と一体化されていてもよい。
【００６１】
浴室暖房システムは、浴室暖房の指示を受けると、「浴室暖房動作」として、浴室暖房機６の放熱器に熱媒を供給し、浴室暖房機６のファンを動作させる。これにより、浴室３に温風が供給される。そして、浴室暖房システムは、注湯機能または風呂追焚機能の開始を指示されたときに、浴室３の温度が所定の温度（Ａ℃）未満であれば、「補助暖房動作」を実行する。「補助暖房動作」では、浴室暖房機６の放熱器６０２に熱媒が供給されるが、浴室暖房機６のファンは動作しない。放熱器６０２は、熱媒を供給されることによって加熱される。放熱器６０２周辺の加熱された空気が、拡散により、吹き出し口６３等を介して浴室３に導入される。これにより、浴室３は、多少温められる。
【００６２】
「補助暖房動作」は、浴室暖房機能の開始の指示がなされなかったときに、浴室暖房機６のファンを動作させることなく放熱器６０２の加熱動作が行なわれることを意味する。放熱器６０２の加熱動作は、加熱制御部７１０がバーナを制御することにより循環配管７２内を循環する熱媒を加熱することと、ポンプ６００を駆動して熱媒を循環配管７２内で循環させることとを含む。
【００６３】
「浴室暖房動作」では、ポンプ６００は連続的に運転するのに対し（図７のステップＳ８０）、「補助暖房動作」では、ポンプ６００は間欠的に運転する。つまり、「補助暖房動作」では、「浴室暖房動作」よりも、放熱器６０２（図２等参照）に供給される単位時間当たりの熱量が高くなる。これは、「補助暖房動作」では、ファン６０３が回転しないため、過度に放熱器６０２近傍の温度が上昇することを回避するためである。このことから、「補助暖房動作」におけるポンプ６００の間欠動作における運転間隔は、たとえば、放熱器６０２近傍の温度が過度に上昇しない程度に適宜設定され得る。当該間隔は、浴室３の温度等に基づいて変更されてもよい。
【００６４】
また、浴室暖房システムでは、注湯機能および風呂追焚機能の開始が指示されると、浴室暖房機能の開始の指示を促す報知が実行される（図７のステップＳ２０、図８または図９）。当該報知は、浴室３の温度が所定の温度（Ａ℃）未満であることを条件として、実行される。なお、当該報知は省略されてもよい。
【００６５】
［第２の実施の形態］
第２の実施の形態では、浴室暖房システムのハードウェア構成は、第１の実施の形態と同様とされてもよい。そして、第２の実施の形態では、浴室暖房システムは、注湯機能または風呂追焚機能の開始を指示されたときに、浴室３の温度が所定の温度（Ａ℃）未満であり、さらに、注湯機能または風呂追焚機能における湯温の設定温度が一定の温度（Ｂ℃）以上である場合に、「補助暖房動作」を実行する。注湯機能または風呂追焚機能における湯温の設定温度は、たとえば台所リモコン７４または浴室リモコン５における操作によって設定され、メモリ部７０２に格納される。
【００６６】
第２の実施の形態における処理内容をより具体的に説明する。システムコントローラ７００のＣＰＵ７０１は、図１０に示された処理を実行する。図１０は、図７の処理の第１の変形例のフローチャートである。
【００６７】
図１０の処理は、図７の処理と比べて、ステップＳ１０の後にステップＳ１２の制御を有する。つまり、図１０の処理では、ＣＰＵ７０１は、ステップＳ１０で、浴室温度センサ５４の計測温度ｔｈが所定の温度（Ａ℃（たとえば、５℃））未満であると判断すると（ステップＳ１０でＹＥＳ）、ステップＳ１２へ制御を進める。
【００６８】
そして、ステップＳ１２で、ＣＰＵ７０１は、注湯機能における湯温の設定温度が一定の温度（Ｂ℃（たとえば、３６℃））以上であるか否かを判断する。そして、ＣＰＵ７０１は、当該設定温度が上記一定の温度以上であると判断すると（ステップＳ１２でＹＥＳ）、ステップＳ２０へ制御を進める。一方、ＣＰＵ７０１は、当該設定温度が上記一定の温度未満であると判断すると（ステップＳ１２でＮＯ）、ステップＳ７０へ制御を進める。
【００６９】
第２の実施の形態におけるステップＳ２０以降の制御は、第１の実施の形態における各ステップの制御と同様である。
【００７０】
以上説明された第２の実施の形態では、以上説明された第１の実施の形態では、ＣＰＵ７０１は、注湯機能の開始を指示されると、図７の処理を実行する。なお、ＣＰＵ７０１は、風呂追焚機能の開始を指示されたときも、同様に、図７の処理を実行する。
【００７１】
第２の実施の形態では、浴室暖房システムは、注湯機能または風呂追焚機能の開始を指示されたときに、浴室３の温度が所定の温度（Ａ℃）未満であり、かつ、注湯機能または風呂追焚機能における設定温度が一定の温度（Ｂ℃）以上であれば、「補助暖房動作」を実行する。つまり、第２の実施の形態では、浴室３がある程度低温であり、かつ、浴室３の温度と浴槽４内の湯温との差がある程度大きい場合に、「補助暖房動作」が実行される。
【００７２】
上記「一定の温度」は、注湯機能または風呂追焚機能の開始が指示されたときの浴室３の温度に応じて決定されてもよい。つまり、ＣＰＵ７０１は、ステップＳ１２において、浴室３の温度と上記設定温度との差が所定値以上であるか否かを判断してもよい。この場合、ＣＰＵ７０１は、浴室３の温度と上記設定温度との差が所定値以上であると判断するとステップＳ２０へ制御を進め、浴室３の温度と上記設定温度との差が所定値未満であると判断するとステップＳ７０へ制御を進める。
【００７３】
［第３の実施の形態］
第３の実施の形態では、浴室暖房システムのハードウェア構成は、第１の実施の形態と同様とされてもよい。そして、第３の実施の形態では、浴室暖房システムは、「補助暖房動作」を実行する前に、当該「補助暖房動作」の実行を促す情報を報知する。そして、浴室暖房システムは、ユーザが「補助暖房動作」の実行の指示する操作を行なったことを条件として、「補助暖房動作」を実行する。
【００７４】
第３の実施の形態における処理内容をより具体的に説明する。システムコントローラ７００のＣＰＵ７０１は、図１１に示された処理を実行する。図１１は、図７の処理の第２の変形例のフローチャートである。
【００７５】
図１１の処理は、図７の処理と比べて、ステップＳ３０の後にステップＳ３２およびステップＳ３４の制御を有する。つまり、図１１の処理では、ＣＰＵ７０１は、ステップＳ３０で、浴室暖房機能の開始の指示がなかったと判断すると、ステップＳ３２へ制御を進める。
【００７６】
ステップＳ３２で、ＣＰＵ７０１は、補助暖房動作の実行の促す報知を実行する。当該報知は、たとえば、図１２に示されるように、浴室暖房コントローラ８において、補助暖房動作の実行を促すメッセージ（たとえば、「浴室が冷えています。「浴室暖房」の２回操作で省エネ暖房を実行します。」）を表示する。そして、制御はステップＳ３４へ進められる。
【００７７】
ステップＳ３４で、ＣＰＵ７０１は、補助暖房動作の実行が指示されたか否かを判断する。補助暖房動作の実行の指示は、たとえば、ステップＳ３２における報知後、たとえば一定の期間（たとえば、２０秒間）以内に、浴室暖房スイッチ８２が連続して２回操作されることによって実現される。そして、ＣＰＵ７０１は、補助暖房動作の実行が指示されたと判断すると（ステップＳ３４でＹＥＳ）、ステップＳ４０へ制御を進める。これにより、浴室暖房システムは、補助暖房動作を実行する。一方、ＣＰＵ７０１は、補助暖房動作の実行が指示されなかったと判断すると（ステップＳ３４でＮＯ）、図１１の処理を終了させる。
【００７８】
以上説明された第３の実施の形態において、補助暖房動作の実行の促す報知は、浴室暖房コントローラ８に加えて、または、浴室暖房コントローラ８に代えて、台所リモコン７４および／または浴室リモコン５において行なわれてもよい。当該報知は、システムコントローラ７００において行なわれてもよい。
【００７９】
また、補助暖房動作の実行の指示は、浴室暖房コントローラ８に対する操作に限定されない。台所リモコン７４、浴室リモコン５、および／またはシステムコントローラ７００に対する操作であってもよい。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
６  浴室暖房機、７  給湯機、８  浴室暖房コントローラ、５２Ａ  追いだきスイッチ、５２Ｂ  ふろ自動スイッチ、５４  浴室温度センサ、７１，７２  循環配管、７４  台所リモコン、８２  浴室暖房スイッチ、１０１  給湯回路、１０２  浴室暖房回路、１０３  追焚回路、１０４  注湯回路、６００  ポンプ、６０１  熱動弁、６０２  放熱器、６０３  ファン、７００  システムコントローラ、７０２  メモリ部、７０３  タイマ、７０４  入力装置、７０５  出力装置、７０６  インタフェース、７１０  加熱制御部。
【図１】
0006439517.tif 000002
【図２】
0006439517.tif 000003
【図３】
0006439517.tif 000004
【図４】
0006439517.tif 000005
【図５】
0006439517.tif 000006
【図６】
0006439517.tif 000007
【図７】
0006439517.tif 000008
【図８】
0006439517.tif 000009
【図９】
0006439517.tif 000010
【図１０】
0006439517.tif 000011
【図１１】
0006439517.tif 000012
【図１２】
0006439517.tif 000013